(57)【特許請求の範囲】
【請求項１】
複数の導体が絶縁体の中に配設され前記導体の両端部がコネクタに接続されるように構成されたフレキシブルケーブルであって、
前記絶縁体の中にグランド層が設けられ、
前記グランド層は、
前記導体の端部がコネクタに接続された状態で当該コネクタをシールドするよう折り返し可能な折返しグランド部、および、
前記導体を絶縁する絶縁体から分岐することによって形成された分岐グランド部、を有し、
前記分岐グランド部の端部において、前記グランド層が露出してグランド接続部が設けられている、
ことを特徴とするフレキシブルケーブル。
【請求項２】
前記絶縁体は、前記導体および前記グランド層の一方の側の面を覆う第１の絶縁体層および他方の側の面を覆う第２の絶縁体層を含んでおり、
前記第２の絶縁体層の上に銀ペーストが塗布され、かつ前記銀ペーストは前記第２の絶縁体層に設けられた穴を介して前記グランド層と電気的に接続されている、
請求項１記載のフレキシブルケーブル。
【請求項３】
前記分岐グランド部の少なくとも１つは、前記折返しグランド部に設けられている、
請求項２記載のフレキシブルケーブル。
【請求項４】
前記分岐グランド部は、所定の幅のアーム部を有し、前記アーム部の先端に前記グランド接続部が設けられており、
前記分岐グランド部の少なくとも１つは、前記アーム部が前記導体と離れた状態で交差するように折り返し可能に形成されている、
請求項２または３記載のフレキシブルケーブル。
【請求項５】
前記導体は、複数の導体群に分割され、それぞれの導体群および導体群を絶縁する絶縁体が折り返されることによって互いに重なる形状に形成されている、
請求項２ないし４のいずれかに記載のフレキシブルケーブル。
【請求項６】
複数の導体が絶縁体の中に配設され前記導体の両端部がコネクタに接続されるように構成されたフレキシブルケーブルであって、
前記導体は、その両端部において前記コネクタに接続するために形成された２つのコネクタ接続部と、前記２つのコネクタ接続部から２つの導体群に分割されておりかつ２つの導体群を折り返すことによって互いに重なるように平面視が線対称の形状に形成されたケーブル本体と、からなり、
前記絶縁体は、前記ケーブル本体を絶縁する部分が、前記ケーブル本体を折り返したときに互いに重なるように平面視が線対称の形状に形成されており、
前記絶縁体の中にグランド層が設けられ、
前記グランド層は、
前記導体の端部がコネクタに接続されたときに当該コネクタをシールドするよう折り返し可能な折返しグランド部、および、
前記導体を絶縁する絶縁体から分岐することによって形成された分岐グランド部、を有し、
前記分岐グランド部の端部において、前記グランド層が露出してグランド接続部が設けられている、
ことを特徴とするフレキシブルケーブル。
【請求項７】
請求項１〜６のいずれかに記載のフレキシブルケーブルが、可動部を有する電子機器の一方の筐体に設けられたプリント基板と他方の筐体に設けられたプリント基板との間を接続するように配設されており、
前記グランド接続部の１つは一方の筐体のプリント基板のグランド端子に半田付けされ、他の１つは他方の筐体のプリント基板のグランド端子に半田付けされてなる、
ことを特徴とする電子機器。
【請求項８】
請求項７に記載の電子機器は、無線通信機能を有する携帯端末装置であり、
前記一方の筐体の内側面の辺部に沿ってかつ前記フレキシブルケーブルが接続されるコネクタの近傍に、前記無線通信機能のためのアンテナが設けられている、
ことを特徴とする携帯端末装置。
【発明の詳細な説明】
【技術分野】
【０００１】
本発明は、シールド効果を向上させたフレキシブルケーブルおよびそれを用いた電子機器、特に携帯端末装置に関する。
【背景技術】
【０００２】
従来より、携帯電話機、ＰＤＡ、またはノートパソコンなどの携帯端末装置において、内部の配線のためにフレキシブルケーブルがしばしば用いられている。特に、２つの筐体がヒンジによって回動可能に連結された折り畳み式の携帯端末装置では、２つの筐体にそれぞれ設けられたプリント基板の間の配線のためにフレキシブルケーブルを用いることは必須である（特許文献１）。
【０００３】
フレキシブルケーブルは、通常、複数の導体が柔軟な絶縁体の中に配設されて構成されている。複数のフレキシブルケーブルを重ねて用いたり、１つのフレキシブルケーブルを２つに折り曲げて２重にして用いることもある。また、不要な電波の輻射をノイズの発生を抑制するために、シールド用のフレキシブルケーブルを重ねて用いることがある。
【０００４】
図１８は従来のフレキシブルケーブル９１の平面図、図１９はフレキシブルケーブル９０，９１を用いた従来の携帯電話機１ｊの一部の内部構造を示す斜視図、図２０は図１９におけるフレキシブルケーブル９０，９１の積層状態を示す側面図である。
【０００５】
図１８において、フレキシブルケーブル９１は、複数の導体ＤＵが絶縁体ＺＴの中に配設され、導体ＤＵの両端部がコネクタＣＮ１，２に接続するための接続端子ＳＴ１，２となっている。導体ＤＵは、２つの導体群ＤＵ１，ＤＵ２に分割され、それぞれの導体群ＤＵ１，ＤＵ２およびそれらを絶縁する絶縁体ＺＴ１，ＺＴ２が折り返し点ＰＫ１，２において折り返されることによって、互いに重なるようになっている。
【０００６】
図１９において、送話器側ＳＧの筐体ＫＴＳに設けられたプリント基板９２ａに実装されたコネクタＣＮ１と、受話器側ＪＧの筐体ＫＴＧに設けられたプリント基板９２ｂに実装されたコネクタＣＮ２との接続のために、２つのフレキシブルケーブル９１、および１つのフレキシブルケーブル９０が積層された状態で用いられている。
【０００７】
つまり、図２０によく示されるように、２つ折りにされた２つのフレキシブルケーブル９１，９１が重ねられ、その上にグランド用のフレキシブルケーブル９０が重ねられている。フレキシブルケーブル９０は、その絶縁体とほぼ等しい幅のベタパターンを有しており、それぞれの端部において、それぞれのプリント基板９２ａ，ｂなどの端子に半田付けされ、両者のフレームグランド（ＦＧ）を互いに接続している。このようなフレキシブルケーブルを使用した携帯電話機の例として、市販された富士通社製「Ｆ８８２ｉＥＳ」がある。
【特許文献１】特開２００１−１１９４６０
【発明の開示】
【発明が解決しようとする課題】
【０００８】
しかし、上に説明したように、送話器側ＳＧと受話器側ＪＧとを接続するために、コネクタＣＮ１，２間を接続するフレキシブルケーブル９１の他に、フレームグランドを接続するための専用のフレキシブルケーブル９０を並行して設ける必要があった。
【０００９】
そのため、部品点数が多くなって実装のスペースが大きくなるとともに実装のための作業工数が多くなり、コストの増大に繋がっていた。
【００１０】
本発明は、上述の問題に鑑みてなされたもので、フレームグランドを接続するための専用のフレキシブルケーブルを省略することができ、部品点数および実装のための作業工数を低減することのできるフレキシブルケーブルを提供することを目的とする。
【課題を解決するための手段】
【００１１】
本発明に係るフレキシブルケーブルは、複数の導体が絶縁体の中に配設され前記導体の両端部がコネクタに接続されるように構成されたフレキシブルケーブルであって、前記絶縁体の中にグランド層が設けられ、前記グランド層は、前記導体の端部がコネクタに接続された状態で当該コネクタをシールドするよう折り返し可能な折返しグランド部、および、前記導体を絶縁する絶縁体から分岐することによって形成された分岐グランド部、を有し、前記分岐グランド部の端部において、前記グランド層が露出してグランド接続部が設けられている。
【００１２】
折り返し可能な折返しグランド部が設けられることにより、導体の端部がコネクタに接続されたときに当該コネクタをシールドすることができる。また、分岐グランド部を形成することにより、信号ラインのためのコネクタ接続とともに、分岐グランド部によってフレームグランドを半田付けによって接続することができる。
【００１３】
前記絶縁体は、前記導体および前記グランド層の一方の側の面を覆う第１の絶縁体層および他方の側の面を覆う第２の絶縁体層を含むように、また、前記第２の絶縁体層の上に銀ペーストが塗布され、かつ前記銀ペーストは前記第２の絶縁体層に設けられた穴を介して前記グランド層と電気的に接続されるように、それぞれ構成してもよい。
【００１４】
このように構成すると、グランド層と銀ペースト層とが一体となることによってグランド層が強化され、より安定的なフレームグランドを得ることができる。また、グランド層を銀ペースト層で接続することができるので、グランド層のパターン形成が容易となる。
【００１５】
前記分岐グランド部の少なくとも１つを、前記折返しグランド部に設けるようにしてもよい。これによると、分岐グランド部をコネクタの近辺に接続し易くなり、安定したフレームグランドを得やすい。
【００１６】
前記分岐グランド部の少なくとも１つを、前記アーム部が前記導体と離れた状態で交差するように折り返し可能に形成してもよい。これにより、グランド接続部をフレキシブルケーブル自体で覆われていない箇所に引き出すことも容易であり、プリント基板などの設計の自由度が向上する。
【００１７】
前記導体が、複数の導体群に分割され、それぞれの導体群および導体群を絶縁する絶縁体が折り返されることによって互いに重なる形状となるように形してもよい。これにより、フレキシブルケーブルの配設のスペースを少なくすることが可能であり、実装密度を上げることができる。
【発明の効果】
【００１８】
本発明によると、フレームグランドを接続するための専用のフレキシブルケーブルを省略することができ、部品点数および実装のための作業工数を低減することができる。
【発明を実施するための最良の形態】
【００１９】
図１は本発明の一実施形態に係る携帯電話機１の外観を示す正面図、図２は図１の携帯電話機１の左側面図、図３は携帯電話機１を折り畳んだ状態の正面図、図４は携帯電話機１を折り畳んだ状態の左側面図、図５は携帯電話機１を折り畳んだ状態の平面図、図６は携帯電話機１を折り畳んだ状態の背面図である。
【００２０】
図１〜図６において、本実施形態の携帯電話機１は、送話器側（固定側）ＳＧと受話器側（可動側）ＪＧとがヒンジＨＪによって回動可能に連結された折り畳み式のものである。送話器側ＳＧの筐体ＫＴＳは、表面に操作部ＳＢが設けられたフロントケース１１、および、フロントケース１１の裏面側に接して配置されたリアケ−ス１２からなる。フロントケース１１およびリアケ−ス１２は、それぞれポリカーボネートまたはＡＢＳ樹脂などの合成樹脂の成形（モールディング）によって製作される。なお、後述するフロントケース３１およびリアケ−ス３２も同様に樹脂成形によって製作される。
【００２１】
操作部ＳＢは、電話番号やその他の情報を入力するための種々の操作ボタン２０が、フロントケース１１に設けられた穴から表面（前面）に突出する状態で配列されており、操作ボタンを押すことによって後述するプリント基板２５に設けられた接点やセンサなどがそれを検知するように構成されている。フロントケース１１の操作部ＳＢの下には、ユーザの音声を内部のマイクロホンに伝えるための音声入力口２１が設けられている。
【００２２】
図６によく示されるように、リアケ−ス１２には、スピーカの出力する音声を外部に伝えるための音声出力口２２、およびストラップを取り付けるためのストラップ係止部２３などが設けられている。また、リアケ−ス１２の内部には電池収納部ＲＤが設けられ、その表面は着脱が可能な電池蓋２４となっている。フロントケース１１とリアケ−ス１２とは、リアケ−ス１２の側から挿入されてネジ込まれた４つのネジ１９によって一体化されている。
【００２３】
また、受話器側ＪＧの筐体ＫＴＪは、フロントケース３１、およびフロントケース３１の裏面側に接して配置されたリアケ−ス３２からなる。フロントケース３１の表面には、カラーＬＣＤからなるメインディスプレイ３３が設けられ、その上方に内部の受話用スピーカの出力する音声を外部に伝えるための音声出力口３４が設けられている。リアケ−ス３２には、内蔵されたカメラのレンズ窓３５が設けられている。
【００２４】
次に、携帯電話機１の筐体ＫＴの構造について説明する。
【００２５】
図７は携帯電話機１の送話器側ＳＧの筐体ＫＴＳを分解して示す斜視図、図８は携帯電話機１の受話器側ＪＧの筐体ＫＴＧを分解して示す斜視図である。
【００２６】
図７に示されるように、送話器側ＳＧのフロントケース１１の内部にはプリント基板２５が配置されている。プリント基板２５の背面側（リアケ−ス１２の側の面）には、ＬＳＩ、ＩＣ、各種コネクタ、スピーカ、フレキシブルケ−ブル、その他種々の電子部品ＢＨが実装されている。プリント基板２５の前面側（フロントケース１１の側の面）には、操作ボタン２０の操作を検知して入力する接点やセンサなどを配置した入力シートＮＳが実装されている。
【００２７】
リアケ−ス１２の電池収納部ＲＤの底部には、ほぼその全域にわたって金属板からなる底板２６が取り付けられている。底板２６の上に電池ＤＴが置かれ、その上から電池蓋２４が装着されて電池収納部ＲＤが閉じられる。
【００２８】
図８に示されるように、受話器側ＪＧのフロントケース３１の内部にはプリント基板３６が配置されている。プリント基板３６の背面側（リアケ−ス３２の側の面）には、種々の電子部品ＢＨが実装されている。電子部品ＢＨとリアケ−ス３２との間に、プリント基板３６や電子部品ＢＨのシールドと筐体ＫＴＧの補強とを兼ねた金属板３７が設けられている。なお、プリント基板２５，３６は、複数枚であることもある。
【００２９】
送話器側ＳＧのプリント基板２５に実装されたコネクタＣＮ１と、受話器側ＪＧのプリント基板３６に実装されたコネクタＣＮ２との接続のために、２つのフレキシブルケーブル４１が積層された状態で用いられている。
【００３０】
次に、フレキシブルケーブル４１について説明する。
【００３１】
図９はフレキシブルケーブル４１の近辺を拡大して示す斜視図、図１０はフレキシブルケーブル４１の配設状態を示す断面側面図、図１１は図１０における受話器側ＪＧの部分を拡大して示す図、図１２は図１０における送話器側ＳＧの部分を拡大して示す図、図１３はフレキシブルケーブル４１の展開状態における正面図、図１４はフレキシブルケーブル４１の導体ＤＵおよびグランド層ＧＵのパターンを示す正面図、図１５はフレキシブルケーブル４１の銀ペースト層ＧＵＡのパターンを示す正面図、図１６はフレキシブルケーブル４１の層構造を示す断面図、図１７はフレキシブルケーブル４１の折り返し重ね方法を説明する図である。
【００３２】
図９〜図１２に示されるように、送話器側ＳＧのプリント基板２５上のコネクタＣＮ１と、受話器側ＪＧのプリント基板３６のコネクタＣＮ２との間に、フレキシブルケーブル４１が、ヒンジＨＪの内部空間を通って撓んだ状態で配設されている。フレキシブルケーブル４１は、ヒンジＨＪにおける屈曲に耐えるような屈曲耐性を有している。
【００３３】
図１３〜図１５によく示されるように、フレキシブルケーブル４１は、複数の導体ＤＵが絶縁体ＺＴの中に配設され、ケーブル本体４２の導体ＤＵの両端部はコネクタＣＮ１，２に接続するための接続端子ＳＴ１，２となっている。
【００３４】
そして、絶縁体ＺＴの中の導体ＤＵ以外の部分においてグランド層ＧＵが設けられている。グランド層ＧＵは、当該グランド層ＧＵを絶縁する絶縁体ＺＴとともに導体ＤＵを絶縁する絶縁体ＺＴから分岐することによって（図１４参照）、２箇所において分岐グランド部４５，４６を形成している。
【００３５】
それぞれの分岐グランド部４５，４６は、所定の幅のアーム部４５ｂ，４６ｂを有し、アーム部４５ｂ，４６ｂの端部においてグランド層ＧＵが露出し、グランド接続部４５ａ，４６ａが設けられている。
【００３６】
グランド接続部４５ａ，４６ａは、それぞれ、導体ＤＵの両端部である接続端子ＳＴ１，２の近辺に位置するように設けられている。つまり、グランド接続部４５ａ，４６ａは、できるだけコネクタＣＮ１，２に近くなるように設けることが好ましい。また、アーム部４５ｂ，４６ｂはできるだけ短くかつ幅が広いことが好ましい。
【００３７】
１つの分岐グランド部４６は、ケーブル本体４２の接続端子ＳＴ２の近辺において分岐し、その分岐点である折り返し点ＰＫ５が若干括れた形状となっており、アーム部４６ｂが、折り返し点ＰＫ５において導体ＤＵから離れた状態で交差するように折り返し可能に形成されている。
【００３８】
つまり、図１３において、アーム部４６ｂは折り返し点ＰＫ５において折り返すことによって、その上の導体ＤＵおよび絶縁体ＺＴと交差して上方に延びることとなり、これによって、グランド接続部４６ａは、図に示された位置から折り返し点ＰＫ５に対して対称位置に移動する。
【００３９】
このように、分岐グランド部４６を折り返し可能とすることによって、そのグランド接続部４６ａをフレキシブルケーブル４１自体で覆われていない箇所に引き出すことが容易であり、プリント基板などの設計の自由度が向上する。
【００４０】
分岐グランド部４６のグランド接続部４６ａは、コネクタＣＮ２の近辺に設けられたプリント基板３６上のグランド端子３６ａに半田付けＨＤされ（図９および図１１参照）、これによってフレームグランドの接続が行われる。
【００４１】
図１６に示すように、絶縁体ＺＴは、導体ＤＵおよびグランド層ＧＵの一方の側の面を覆う第１の絶縁体層ＺＴａおよび他方の側の面を覆う第２の絶縁体層ＺＴｂを含んでおり、第２の絶縁体層ＺＴｂの上に銀ペースト層ＧＵＡが設けられ、その上に第３の絶縁体層ＺＴｃが設けられている。銀ペースト層ＧＵＡは、第２の絶縁体層ＺＴｂに設けられた複数の穴ＡＭを介してグランド層ＧＵと電気的に接続されている。したがって、図１４に示すグランド層ＧＵにおいてパターンとしては互いに接続されていないグランド層ＧＵについても、銀ペースト層ＧＵＡを介して電気的に互いに接続されている。このように、グランド層ＧＵと銀ペースト層ＧＵＡとは、全体としてフレームグランドとなる実質的なグランド層ＧＵを構成している。
【００４２】
第１の絶縁体層ＺＴａは、ポリイミドなどの可撓性および絶縁性に優れた合成樹脂を材料とするベースフィルムである。第２の絶縁体層ＺＴｂは、同じ材料からなるカバーレイであり、第３の絶縁体層ＺＴｃは、同じ材料からなるトップコートである。導体ＤＵおよびグランド層ＧＵは、いずれも銅箔からなる。しかし、銅以外の導電性の良好な金属材料を用いることも可能である。銀ペースト層ＧＵＡは、銀ペーストを塗布することによって形成される。しかし、銀以外の導電性の良好な金属材料を含んだペーストを用いることも可能である。
【００４３】
銅箔の厚さは例えば１５〜２５μｍ程度、銀ペースト層ＧＵＡの厚さは例えば２０〜３０μｍ程度である。導体ＤＵおよびグランド層ＧＵを構成する銅箔の両面には接着剤が用いられ、第１の絶縁体層ＺＴａおよび第２の絶縁体層ＺＴｂに接着されている。
【００４４】
なお、接続端子ＳＴ１，２の部分には、補強用のフィルムが接着剤によって貼り付けられている。
【００４５】
グランド層ＧＵは、導体ＤＵのうちのグランドラインとなる少なくとも１本の導体ＤＵと電気的に接続されている。つまり、複数の導体ＤＵのうちの１本または複数本が、グランドラインとされており、これらとグランド層ＧＵとは電気的に接続されている。それらの接続の方法として、銅箔のパターンを形成する際にパターンによって接続する方法、第２の絶縁体層ＺＴｂに穴ＡＭを設けて銀ペーストを塗布し、銀ペースト層ＧＵＡと接続する方法、その他の方法を取り得る。なお、グランドラインとされた導体ＤＵは、接続端子ＳＴ１，２においてコネクタＣＮ１，２に接続され、各プリント基板２５，３６におけるグランドラインと接続される。
【００４６】
図１４において、導体ＤＵおよびグランド層ＧＵに対して紙面上の手前側が第１の絶縁体層ＺＴａであり、紙面上の奥側が第２の絶縁体層ＺＴｂである。また、図１５において、銀ペースト層ＧＵＡに対して紙面上の手前側が第２の絶縁体層ＺＴｂであり、紙面上の奥側が第３の絶縁体層ＺＴｃである。
【００４７】
ところで、フレキシブルケーブル４１は、折り返すことによってケーブル本体４２を２重に重ねた状態で使用するようになっている。
【００４８】
つまり、フレキシブルケーブル４１のケーブル本体４２は、２つのケーブル本体４２ａ，ｂに分割され、折り返し点ＰＫ１，２において折り返されることによって互いに重なる形状に形成されている。つまり、ケーブル本体４２ａと４２ｂとは、平面視が線対称の形状に形成されている。したがって、ケーブル本体４２に含まれる導体ＤＵは、２つに分割されて各ケーブル本体４２ａ，ｂに含まれる導体群ＤＵ，ＤＵとなり、折り返されることによって互いに重なる。
【００４９】
また、グランド層ＧＵは、各接続端子ＳＴ１，２の部分がコネクタＣＮ１，２に接続されたときに当該コネクタＣＮ１，２をシールドするよう折り返し可能な折返しグランド部４４ａ，ｂを形成している。
【００５０】
すなわち、図１３〜図１５において、各接続端子ＳＴ１，２の部分の右方への延長上に、矩形状の折返しグランド部４４ａ，ｂが形成されている。折返しグランド部４４ａ，ｂは、折り返し点ＰＫ３，４において、接続端子ＳＴ１，２の側へ折り返して重ねることが可能となっている。
【００５１】
折返しグランド部４４ｂは、ほぼ全面にグランド層ＧＵを有しており、先端側の一部の面にはさらに銀ペースト層ＧＵＡを有している。そして、折返しグランド部４４ａの一方の面において、グランド層ＧＵが表面に露出してフレームグランドとして接続することが可能となっている。
【００５２】
つまり、図１４に示すように、折返しグランド部４４ｂにおける矩形状の部分ＢＲ１において、グランド層ＧＵの紙面の手前側に位置する絶縁体ＺＴ、つまり図１６に示す第１の絶縁体層ＺＴａが削除され、グランド層ＧＵが露出して露出グランド層ＧＵＲとなっている。折返しグランド部４４ｂにおける露出グランド層ＧＵＲは、携帯電話機１に実装されたときに、図９に示すように、コネクタＣＮ２の上の最上層の表面となり、リアケ−ス３２に嵌め込まれた金属板３７に対して接触部材３８を介して電気的に接続され、これによってフレームグランドの接続が行われる。
【００５３】
折返しグランド部４４ｂは、また、コネクタＣＮ２の上面を覆うことによって、コネクタＣＮ２およびその近辺のシールドをも行う。
【００５４】
折返しグランド部４４ａにおいては、ほぼ全面にグランド層ＧＵおよび銀ペースト層ＧＵＡを有している。折返しグランド部４４ａは、コネクタＣＮ１の上面を覆うことによって、コネクタＣＮ１およびその近辺のシールドを行う。
【００５５】
そして、折返しグランド部４４ａの下端部（接続端子ＳＴ１の設けられた側）に、上に述べた分岐グランド部４５が設けられている。分岐グランド部４５のグランド接続部４５ａは、コネクタＣＮ１の近辺に設けられたプリント基板２５上のグランド端子２５ａに半田付けＨＤされ（図９および図１２参照）、これによってフレームグランドの接続が行われる。
【００５６】
また、図１４において、ケーブル本体４２ｂの接続端子ＳＴ２の側における左方への延長上に、シールドグランド部４４ｃが形成されている。シールドグランド部４４ｃは、その一方の面において、グランド層ＧＵが表面に露出してフレームグランドとして接続することが可能となっている。
【００５７】
つまり、図１４に示すように、シールドグランド部４４ｃにおける先端側の矩形状の部分ＢＲ２において、グランド層ＧＵの紙面の手前側に位置する絶縁体ＺＴ、つまり図１６に示す第１の絶縁体層ＺＴａが削除され、グランド層ＧＵが露出して露出グランド層ＧＵＲとなっている。シールドグランド部４４ｃは、携帯電話機１に実装されたときに、コネクタＣＮ１の上面を覆うことによってその近辺のシールドを行うとともに、折返しグランド部４４ｂを設けない場合または用いない場合に、その露出グランド層ＧＵＲが最上層の表面に露出し、接触部材３８を介して金属板３７に接続されてフレームグランドの接続が行われる。
【００５８】
なお、図１５に示すように、シールドグランド部４４ｃの露出グランド層ＧＵＲの設けられた部分には、銀ペースト層ＧＵＡは設けられていない。
【００５９】
また、図１４において、グランド接続部４５ａ，４６ａの部分に方形状の枠線が示されているが、これはグランド接続部４５ａ，４６ａを露出させる際に絶縁体ＺＴをカットする位置を示すものである。図１５において、ケーブル本体４２ａ，ｂの外形線の外側に沿った線が示されているが、これはオーバーコートの範囲を示すものである。したがって、製作されたフレキシブルケーブル４１の外形は図１３に示すとおりである。
【００６０】
上に説明したフレキシブルケーブル４１は、図１３に示す折り返し点ＰＫ１〜４において、３つに折り返すことが可能となっている。つまり、フレキシブルケーブル４１は、折り返し点ＰＫ１〜４を境界として、下部４１ａ、中部４１ｂ、上部４１ｃの３つの部分からなっている。
【００６１】
次に、フレキシブルケーブル４１の実装方法について説明する。
【００６２】
図１７（Ａ）には、フレキシブルケーブル４１の展開状態での底面図が示されている。つまり、図１７（Ａ）には図１３に示すフレキシブルケーブル４１を裏返した状態が示されている。
【００６３】
図１７（Ａ）において、フレキシブルケーブル４１には、折返しグランド部４４ａ，ｂの裏面、シールドグランド部４４ｃの裏面、および、ケーブル本体４２ｂの一部に、粘着テープ（両面テープ）４７ａ〜ｄが貼り付けられている。
【００６４】
まず、折り返し点ＰＫ１，２において谷折りとし、中部４１ｂ（図１３参照）のシールドグランド部４４ｃおよびケーブル本体４２ｂを、下部４１ａのケーブル本体４２ａの上に重ね、粘着テープ４７ｃ，ｄによって貼り付ける。これによって図１７（Ｂ）に示す状態となる。この状態では、シールドグランド部４４ｃに設けた露出グランド層ＧＵＲが上面に露出するので、このままの状態において用いた場合にはこの露出グランド層ＧＵＲをフレームグランドの接続に利用することが可能である。
【００６５】
次に、折り返し点ＰＫ３，４において谷折りとし、上部４１ｃの折返しグランド部４４ａ，ｂを、中部４１ｂのシールドグランド部４４ｃおよびケーブル本体４２ｂの上に重ね、粘着テープ４７ａ，ｂによって貼り付ける。また、分岐グランド部４６を折り返し点ＰＫ５において裏側へ折り返す。これによって図１７（Ｃ）に示す状態となる。
【００６６】
なお、粘着テープ４７ａ，ｂの一部は、実際にはコネクタＣＮ１，２の上面に貼り付けられることとなる。したがって、折返しグランド部４４ａ，ｂを折り返す以前に、接続端子ＳＴ１，２をコネクタＣＮ１，２に挿入しておけばよい。
【００６７】
図１７（Ｃ）に示す状態では、折返しグランド部４４ｂに設けた露出グランド層ＧＵＲが上面に露出するので、この露出グランド層ＧＵＲをフレームグランドの接続に利用する。また、分岐グランド部４５，４６のグランド接続部４５ａ，４６ａが、それぞれのグランド層ＧＵの露出部分が上を向いた状態となるので、グランド接続部４５ａ，４６ａをプリント基板２５，３６上のグランド端子２５ａ，３６ａに半田付けする。半田付けは、半田こてを用いた手作業による他、フリーフローなどによって自動的に行うことも可能である。フリーフローで半田付けを行う場合には、グランド接続部４５ａ，４６ａが下面側に露出するようにしておけば好都合である。
【００６８】
このように、折返しグランド部４４ｂおよびシールドグランド部４４ｃの露出グランド層ＧＵＲは、折り返したときにコネクタＣＮ２に対向する面とは反対側の面が露出する。したがって、プリント基板３６の上から被せられるリアケ−ス３２または補強用の金属板３７とのフレームグランド接続が容易である。
【００６９】
本実施形態のフレキシブルケーブル４１は、信号ラインのためのコネクタ接続用の接続端子ＳＴ１，２とフレームグランドのための半田付け用のグランド接続部４５ａ，４６ａとの両方を備えているので、信号ラインの接続は勿論のこと、２つのプリント基板２５，３６の間のフレームグランドを半田付けによって接続することができる。また、折返しグランド部４４ｂまたはシールドグランド部４４ｃの露出グランド層ＧＵＲを用いて、筐体ＫＴの補強用の金属板やシールド板との間にフレームグランドの接続を行うことができる。したがって、携帯電話機１において安定したフレームグランドを得ることができ、または安定したフレームグランド接続とすることができ、ノイズの低減、静電気の除去、および不要電波の輻射の低減などを効果的に図ることができる。
【００７０】
しかも、従来のようにフレームグランドを接続するための専用のフレキシブルケーブルを用いる必要がないので、部品点数および実装のための作業工数を低減することができる。
【００７１】
また、送話器側ＳＧの筐体ＫＴＳであるリアケ−ス１２の内側面の上辺部に沿って、つまりフレキシブルケーブル４１が接続されるコネクタＣＮ１の近傍に、無線通信機能のためのアンテナ２９が設けられているが（図１０参照）、フレキシブルケーブル４１にはシールド機能があるので、導体ＤＵやコネクタＣＮ１，２がアンテナ２９から輻射される電波からシールドされ、これによってノイズの発生が抑制されている。
【００７２】
上に述べた実施形態において、グランド接続部４６ａを折り返して接続することとしたが、折り返すことなく接続するように構成してもよい。シールドグランド部４４ｃに露出グランド層ＧＵＲを設けたが、折返しグランド部４４ｂに露出グランド層ＧＵＲを設ける場合にはなくてもよい。フレキシブルケーブル４１の実装後に折返しグランド部４４ａ，ｂを筐体ＫＴなどで押さえることができる場合などには、粘着テープ４７ａ〜ｄを省略してもよい。２つ折りのフレキシブルケーブル４１について説明したが、折り返し重ねしないフレキシブルケーブルとして実施してもよい。２つの接続端子ＳＴ１，２を設けたが、１つまたは３つ以上の接続端子（コネクタ接続部）を設けてもよい。
【００７３】
上に述べた実施形態においては、プリント基板２５と３６との接続のために、１つのフレキシブルケーブル４１を用いた例を説明したが、接続端子ＳＴ１，２の個数などに応じて、２つ以上のフレキシブルケーブル４１を用いたり、他の構成のフレキシブルケーブルと併用してもよい。
【００７４】
上に述べた実施形態においては、折り畳み式の携帯電話機１を例にあげて説明したが、スライド式またはその他の形式の携帯電話機であってもよい。
【００７５】
上に述べた実施形態において、フレキシブルケーブル４１の構成、形状、層構造、導体ＤＵおよびグランド層ＧＵのパターン、銀ペースト層ＧＵＡのパターン、導体ＤＵの数、折返しグランド部４４ａ，ｂや分岐グランド部４５，４６の形状、寸法、位置などは、上に述べた以外に種々変更することができる。
【００７６】
その他、プリント基板２５，３６、コネクタＣＮ１，２、筐体ＫＴ、または携帯電話機１の全体または各部の構造、構成、形状、寸法、材質、成形方法、製作方法、配置、個数などは、本発明の趣旨に沿って適宜変更することができる。
【００７７】
上に述べた例では折り畳み式の携帯電話機１について説明したが、折り畳み式のまたは折り畳み式でない携帯端末装置、およびその他の種々の電子機器にも本発明を適用することができる。
【００７８】
本実施形態には次に記載する形態も含まれる。
（付記１）
複数の導体が絶縁体の中に配設され前記導体の両端部がコネクタに接続されるように構成されたフレキシブルケーブルであって、
前記絶縁体の中にグランド層が設けられ、
前記グランド層は、
前記導体の端部がコネクタに接続された状態で当該コネクタをシールドするよう折り返し可能な折返しグランド部、および、
前記導体を絶縁する絶縁体から分岐することによって形成された分岐グランド部、を有し、
前記分岐グランド部の端部において、前記グランド層が露出してグランド接続部が設けられている、
ことを特徴とするフレキシブルケーブル。
（付記２）
前記絶縁体は、前記導体および前記グランド層の一方の側の面を覆う第１の絶縁体層および他方の側の面を覆う第２の絶縁体層を含んでおり、
前記第２の絶縁体層の上に銀ペーストが塗布され、かつ前記銀ペーストは前記第２の絶縁体層に設けられた穴を介して前記グランド層と電気的に接続されている、
付記１記載のフレキシブルケーブル。
（付記３）
前記分岐グランド部の少なくとも１つは、前記折返しグランド部に設けられている、
付記２記載のフレキシブルケーブル。
（付記４）
前記分岐グランド部は、所定の幅のアーム部を有し、前記アーム部の先端に前記グランド接続部が設けられており、
前記分岐グランド部の少なくとも１つは、前記アーム部が前記導体と離れた状態で交差するように折り返し可能に形成されている、
付記２または３記載のフレキシブルケーブル。
（付記５）
前記グランド層は、前記導体のうちのグランドラインとなる少なくとも１本の導体と電気的に接続されている、
付記２ないし４のいずれかに記載のフレキシブルケーブル。
（付記６）
前記導体は、複数の導体群に分割され、それぞれの導体群および導体群を絶縁する絶縁体が折り返されることによって互いに重なる形状に形成されている、
付記２ないし５のいずれかに記載のフレキシブルケーブル。
（付記７）
複数の導体が絶縁体の中に配設され前記導体の両端部がコネクタに接続されるように構成されたフレキシブルケーブルであって、
前記導体は、その両端部において前記コネクタに接続するために形成された２つのコネクタ接続部と、前記２つのコネクタ接続部から２つの導体群に分割されておりかつ２つの導体群を折り返すことによって互いに重なるように平面視が線対称の形状に形成されたケーブル本体と、からなり、
前記絶縁体は、前記ケーブル本体を絶縁する部分が、前記ケーブル本体を折り返したときに互いに重なるように平面視が線対称の形状に形成されており、
前記絶縁体の中にグランド層が設けられ、
前記グランド層は、
前記導体の端部がコネクタに接続されたときに当該コネクタをシールドするよう折り返し可能な折返しグランド部、および、
前記導体を絶縁する絶縁体から分岐することによって形成された分岐グランド部、を有し、
前記分岐グランド部の端部において、前記グランド層が露出してグランド接続部が設けられている、
ことを特徴とするフレキシブルケーブル。
（付記８）
付記１〜７のいずれかに記載のフレキシブルケーブルが、可動部を有する電子機器の一方の筐体に設けられたプリント基板と他方の筐体に設けられたプリント基板との間を接続するように配設されており、
前記グランド接続部の１つは一方の筐体のプリント基板のグランド端子に半田付けされ、他の１つは他方の筐体のプリント基板のグランド端子に半田付けされてなる、
ことを特徴とする電子機器。
（付記９）
前記電子機器は携帯電話機であり、
前記一方の筐体は送話器側の筐体であり、前記他方の筐体は受話器側の筐体である、
付記８記載の電子機器。
（付記１０）
付記８記載の前記電子機器は、無線通信機能を有する携帯端末装置であり、
前記筐体の内側面の辺部に沿ってかつ前記フレキシブルケーブルが接続されるコネクタの近傍に、前記無線通信機能のためのアンテナが設けられている、
ことを特徴とする携帯端末装置。
【図面の簡単な説明】
【００７９】
【図１】本発明の一実施形態に係る携帯電話機の外観を示す正面図である。
【図２】図１の携帯電話機の左側面図である。
【図３】携帯電話機を折り畳んだ状態の正面図である。
【図４】携帯電話機を折り畳んだ状態の左側面図である。
【図５】携帯電話機を折り畳んだ状態の平面図である。
【図６】携帯電話機を折り畳んだ状態の背面図である。
【図７】携帯電話機の送話器側の筐体を分解して示す斜視図である。
【図８】携帯電話機の受話器側の筐体を分解して示す斜視図である。
【図９】フレキシブルケーブルの近辺を拡大して示す斜視図である。
【図１０】フレキシブルケーブルの配設状態を示す断面側面図である。
【図１１】図１０における受話器側の部分を拡大して示す図である。
【図１２】図１０における送話器側の部分を拡大して示す図である。
【図１３】フレキシブルケーブルの展開状態における正面図である。
【図１４】フレキシブルケーブルの導体などのパターンを示す正面図である。
【図１５】フレキシブルケーブルの銀ペースト層のパターンを示す正面図である。
【図１６】フレキシブルケーブルの層構造を示す断面図である。
【図１７】フレキシブルケーブルの折り返し重ね方法を説明する図である。
【図１８】従来のフレキシブルケーブルの平面図である。
【図１９】従来の携帯電話機の一部の内部構造を示す斜視図である。
【図２０】図１９におけるフレキシブルケーブルの積層状態を示す側面図である。
【符号の説明】
【００８０】
１  携帯電話機（携帯端末装置、電子機器）
２５，３６  プリント基板
２５ａ，３６ａ  グランド端子
２９  アンテナ
３１  フロントケース（筐体）
３２  リアケース（筐体）
４１  フレキシブルケーブル
４２  ケーブル本体
４４ａ，ｂ  折返しグランド部
４４ｃ  シールドグランド部
４５，４６  分岐グランド部
４５ａ，４６ａ  グランド接続部
４５ｂ，４６ｂ  アーム部
ＳＴ１，２  接続端子（コネクタ接続部）
ＤＵ  導体
ＧＵ  グランド層
ＧＵＲ  露出グランド層
ＺＴ  絶縁体
ＺＴａ  第１の絶縁体層（絶縁体）
ＺＴｂ  第２の絶縁体層（絶縁体）
ＺＴｃ  第３の絶縁体層（絶縁体）
ＣＮ１，２  コネクタ
ＡＭ  穴
ＫＴＳ，ＫＴＧ  筐体
【図１】
0005041891.tif 000002
【図２】
0005041891.tif 000003
【図３】
0005041891.tif 000004
【図４】
0005041891.tif 000005
【図５】
0005041891.tif 000006
【図６】
0005041891.tif 000007
【図７】
0005041891.tif 000008
【図８】
0005041891.tif 000009
【図９】
0005041891.tif 000010
【図１０】
0005041891.tif 000011
【図１１】
0005041891.tif 000012
【図１２】
0005041891.tif 000013
【図１３】
0005041891.tif 000014
【図１４】
0005041891.tif 000015
【図１５】
0005041891.tif 000016
【図１６】
0005041891.tif 000017
【図１７】
0005041891.tif 000018
【図１８】
0005041891.tif 000019
【図１９】
0005041891.tif 000020
【図２０】
0005041891.tif 000021